(57)【特許請求の範囲】
【請求項１】
遊技状況に応じて入賞口の入賞用球受け幅を大小異なる開度で多段階に開放可能とした入賞装置Ｎが遊技盤に装着されたパチンコ機において、
前記入賞装置Ｎは、前記遊技盤面に取着されて遊技球用の入賞口３を中央下部に開通したベース板２と、該ベース板２の前面に取着されたカバ一体９と、前記ベース板２と前記カバー体９との間に起立状態で左右内外方向へ搖動可能に配置された左右一対の主可動片１０と、前記ベース板２裏側に配置されて前記各主可動片１０を駆動制御し得るソレノイド１２と、前記各主可動片１０の上方外側部位に前後方向に進退変位可能に配置された左右一対の副可動片１４と、前記ベース板２裏側に配置されて前記各副可動片１４を個別に駆動制御し得るソレノイド１７と、前記ベース板２の裏側に取付けられたランプ基板１８と、該ランプ基板１８に結合されて前記両副可動片１４内に装入された装飾ランプ１９と、前記ベース板２裏側に連設された入賞球用の誘導路４と備えており、
前記一対の主可動片１０は、前記ベース板２前側で入賞口３の左右両側位置における下部の支点１６に支持されて前記ソレノイド１２のプランジャ１２ａに伝動部１３，１０ａを介して連繋されており、ソレノイド１２の駆動条件に従って、前記一対の主可動片１０の双方の第１球受け面１１が互いに直立状に対向して最小球受け幅（Ｘ−２ａ）を維持する通常の第２の状態に対し、双方の第１球受け面１１が互いに外向き傾斜状態に傾倒して基準球受け幅（Ｘ）を拡開維持する第１の状態に変化するように設定され、
前記副可動片１４は、前記ベース板２の左右両側で前記主可動片１０の第１の状態の先端位置より上部外側部位に配置されて前記ソレノイド１７のプランジャ１７ａに連繋されており、前記ソレノイド１７の駆動条件に従って、前記一対の副可動片１４の双方の第２球受け面１５が前記ベース板２前面より退避した通常の失効位置の状態に対し、双方の第２球受け面１５が前記ベース板２前面より前進した有効位置で前記基準球受け幅（Ｘ）を含めた最大球受け幅（Ｘ＋２ｂ）を維持する状態、または、個々の第２球受け面１５が前記有効位置で前記基準球受け幅（Ｘ）を含めた球受け幅（Ｘ＋ｂ又はｂ＋Ｘ）を維持する状態に多段階の球受け幅の開度をもって変化するように設定され、
前記誘導路４では、前記ベース板２の入賞口３裏側に連通された球入口５の後流側に、一般入賞領域７と特定入賞領域６とが分岐連通して形成されるとともに、双方の入賞領域７，６の分岐部にソレノイドにより作動されるシャッタ８が搖動可能に組込まれており、前記ソレノイドの駆動条件により前記シャッタ８が切換えられて前記球入口５に対する前記一般入賞領域７と特定入賞領域６との何れかを開通し、前記主可動片１０と前記副可動片１４とが構成する夫々の球受け幅条件で受入れられて入賞口３に通入した入賞球を、前記一般入賞領域７または特定入賞領域６に切換えて流通し得るように構成したことを特徴とするパチンコ機の入賞装置。
【発明の詳細な説明】
【０００１】
【産業上の利用分野】
この発明はパチンコ機の遊技盤に装着される入賞装置に関する。
【０００２】
【従来の技術】
特定入賞口に入賞した入賞球が特定入賞領域を通過したときに大入賞口を開放させるパチンコ機では特定入賞口と大入賞口とは離れた位置にそれぞれ独立して設けられる。
【０００３】
【発明が解決しようとする課題】
本発明は、１つの入賞口の球受け幅を、大小異なった開度で開放する異種の入賞口として機能させることを課題とするものである。
【０００４】
【課題を解決するための手段】
請求項１の発明は、遊技状況に応じて入賞口の入賞用球受け幅を大小異なる開度で多段階に開放可能とした入賞装置Ｎが遊技盤に装着されたパチンコ機において、
前記入賞装置は、前記遊技盤面に取着されて遊技球用の入賞口を中央下部に開通したベース板と、該ベース板の前面に取着されたカバ一体と、前記ベース板と前記カバー体との間に起立状態で左右内外方向へ搖動可能に配置された左右一対の主可動片と、前記ベース板裏側に配置されて前記各主可動片を駆動制御し得るソレノイドと、前記各主可動片の上方外側部位に前後方向に進退変位可能に配置された左右一対の副可動片と、前記ベース板裏側に配置されて前記各副可動片を個別に駆動制御し得るソレノイドと、前記ベース板の裏側に取付けられたランプ基板と、該ランプ基板に結合されて前記両副可動片内に装入された装飾ランプと、前記ベース板裏側に連設された入賞球用の誘導路と備えており、
前記一対の主可動片は、前記ベース板前側で入賞口の左右両側位置における下部の支点に支持されて前記ソレノイドのプランジャに伝動部を介して連繋されており、ソレノイドの駆動条件に従って、前記一対の主可動片の双方の第１球受け面が互いに直立状に対向して最小球受け幅（Ｘ−２ａ）を維持する通常の第２の状態に対し、双方の第１球受け面が互いに外向き傾斜状態に傾倒して基準球受け幅（Ｘ）を拡開維持する第１の状態に変化するように設定され、
前記副可動片は、前記ベース板の左右両側で前記主可動片の第１の状態の先端位置より上部外側部位に配置されて前記ソレノイドのプランジャに連繋されており、前記ソレノイドの駆動条件に従って、前記一対の副可動片の双方の第２球受け面が前記ベース板前面より退避した通常の失効位置の状態に対し、双方の第２球受け面が前記ベース板前面より前進した有効位置で前記基準球受け幅（Ｘ）を含めた最大球受け幅（Ｘ＋２ｂ）を維持する状態、または、個々の第２球受け面が前記有効位置で前記基準球受け幅（Ｘ）を含めた球受け幅（Ｘ＋ｂ又はｂ＋Ｘ）を維持する状態に多段階の球受け幅の開度をもって変化するように設定され、
前記誘導路では、前記ベース板の入賞口裏側に連通された球入口の後流側に、一般入賞領域と特定入賞領域とが分岐連通して形成されるとともに、双方の入賞領域の分岐部にソレノイドにより作動されるシャッタが搖動可能に組込まれており、前記ソレノイドの駆動条件により前記シャッタが切換えられて前記球入口に対する前記一般入賞領域と特定入賞領域との何れかを開通し、前記主可動片と前記副可動片とが構成する夫々の球受け幅条件で受入れられて入賞口に通入した入賞球を、前記一般入賞領域または特定入賞領域に切換えて流通し得るように構成した。
【０００６】
【作用】
請求項１の発明では、主可動片が第１の状態に変換されると、第１球受け面が開いた姿勢となって遊技球を第１球受け面によって可変入賞口へ受け入れる球受け幅が基準球受け幅となり、主可動片が第２の状態に変換されると、第１球受け面が閉じた状態となって両第１球受け面によって遊技球を可変入賞口に受け入れる球受け幅が縮小する。第１球受け面が開いた姿勢となった状態で副可動片の第２球受け面が有効位置へ進出すると、球受け幅が前記基準球受け幅以上に拡大され、副可動片の第２球受け面が失効位置へ退避すると、前記基準球受け幅が維持される。
【０００７】
また、請求項１の発明では、１対の副可動片が個別に駆動制御され、両第２球受け面が共に有効位置へ進出した状態と、一方の第２球受け面が有効位置へ進出して他方の第２球受け面が失効位置へ退避した状態と、他方の第２球受け面が有効位置へ進出して一方の第２球受け面が失効位置へ退避した状態と、両第２球受け面が共に失効位置へ退避した状態とに切換えられる。
さらに、請求項１の発明では、可変入賞口に入賞した入賞球が一般入賞領域または特定入賞領域の何れかに振り分けられる状況と、入賞球が全て一般入賞口に導入される状況と、入賞球が全て特定入賞領域に導入される状況とが出現する。
【０００８】
【発明の効果】
請求項１の発明によれば、可変入賞口の開度を、球受け幅が規定幅以上に拡大した状態と規定幅を維持した状態と、球受け幅が規定幅以下に縮小した状態とに切換えて可変入賞口を異った開度で開閉される異種の入賞口として機能させることができ、異った機能を有する異種の入賞口を一体化および共通化して入賞機構を簡略化することができるとともに、可変入賞口への入賞の難易度の切換え態様を特異化することができる。
【０００９】
また、可変入賞口への遊技球の受け入れ範囲をゲーム中に拡縮することができるので、ゲームの進行態様に関して新規な趣向を加えて遊技性を高めることができる。
【００１０】
また、請求項１の発明によれば、可変入賞口の球受け幅の開度をゲーム中に多段階に切換えて可変入賞口への遊技球の受け入れ態様を多様に変化させることができ、可変入賞口への入賞過程に関して変化に富む状況を出現させることができる。
【００１１】
また、可変入賞口を特定状態が出現する条件を成立させる特定入賞口としての機能や、球受け幅が規定幅以上に拡大する大入賞口としての機能を兼有する入賞口として活用することができる。
【００１２】
【実施例】
次に、本発明の第１実施例を図１〜図６にしたがって説明する。
遊技盤１に装着された入賞装置Ｎにおいて、遊技盤１にねじ止めされたベース板２の下部の左右方向中央部には遊技面１ａに打出された遊技球を受け入れる可変入賞口３が開設され、ベース板２の前面の下部には可変入賞口３をカバーするカバー板９が結合されている。
【００１３】
可変入賞口３の後側には二又状に分岐した分岐部４ａを有する誘導樋４が設置され、この誘導樋４内には可変入賞口３に入賞した入賞球を受け入れる球入口５と、遊技者に利益を与える特定状態を発生させる特定入賞領域６と、一般入賞領域７とが形成されて可変入賞口３が特定入賞領域６および一般入賞領域７に連通されるとともに、誘導樋４には図示しないソレノイドによって駆動されて内外方向へ搖動し、特定入賞領域６、一般入賞領域７のうちの一方のみを開通した状態と、両領域６，７を共に開通した状態とに切換えるシャッタ８が結合されている。
【００１４】
シャッタ８が中立位置へ搖動した状態では特定入賞領域６および一般入賞領域７が共に開通され、可変入賞口３に入賞した入賞球は特定入賞領域６および一般入賞領域７のうちの何れか一方へ振り分けられる。
【００１５】
シャッタ８が左方へ搖動した状態では一般入賞領域７が閉鎖され、可変入賞口３に入賞した入賞球は全て特定入賞領域６に導入され、シャッタ８が右方へ搖動した状態では特定入賞領域６が閉鎖され、可変入賞口３に入賞した入賞球は全て一般入賞領域７に導入される。
【００１６】
ベース板２前側とカバー板９内側の間で可変入賞口３の左右両側には遊技面１ａを伝って転落する遊技球を受け取って可変入賞口３へ案内する第１球受け面１１をそれぞれ有し、支軸１６を搖動中心として左右内外の相反方向へ同期的に搖動し、外方の搖動端へ搖動して第１球受け面１１が傾斜状に開いた姿勢となる第１の状態と、内方の搖動端へ搖動して第１球受け面１１が直立状に閉じた姿勢となる第２の状態とに変換される左右１対の主可動片１０が設置されている。
【００１７】
ベース板２の後側には両主可動片１０を駆動する下ソレノイド１２と、前端部が主可動片１０の伝動ピン１０ａに連繋されて後端部が下ソレノイド１２のプランジャ１２ａに連繋された状態で搖動可能に支持された伝動片１３とがそれぞれ設置され、両下ソレノイド１２のプランジャ１２ａの進退動動作（図３中の上下動作）が伝動片１３を介して両主可動片１０に伝えられて両主可動片１０が同期的に開閉作動される。
【００１８】
両主可動片１０が外方の搖動端へ搖動して両主可動片１０が第１の状態に変換されると、両第１球受け面１１がそれぞれ外方へ先上り状に傾倒して開いた姿勢となり、各第１球受け面１１が遊技球を受け取る受け取り範囲が最大となり、両第１球受け面１１が遊技球を開いた姿勢で可変入賞口３に受け入れる球受け幅が基準球受け幅となる。
【００１９】
両主可動片１０が内方の搖動端へ搖動して両主可動片１０が第２の状態に変換されると、両第１球受け面１１がそれぞれ直立して閉じた姿勢となり、各第１球受け面１１が遊技球を受け取る球受け範囲が最小となって両第１球受け面１１が遊技球を閉じた姿勢で可変入賞口３に受け入れる球受け幅が基準球受け幅以下に縮小する。
【００２０】
両主可動片１０の斜め上方には開いた姿勢となった第１球受け面１１の先方の有効位置へ遊技球の通り抜けが不能な間隙を隔てて進出し、転落途中の遊技球を開いた姿勢となった第１球受け面１１の先方で受け取って第１球受け面１１上へ誘導し、有効位置からその後方の失効位置へ退避して第１球受け面１１の先方を開放する第２球受け面１５をそれぞれ有し、前後方向へ変位して遊技球を可変入賞口３に受け入れる球受け幅を拡縮する左右１対の副可動片１４が両主可動片１０にそれぞれ対向して設置されている。
【００２１】
ベース板２の後面に連接されて後方へ延出された左右１対の取付け板２ａには両副可動片１４の後側にそれぞれ設置されて両副可動片１４を個別に駆動する上ソレノイド１７と、ランプ基板１８とがそれぞれ取付けられている。
【００２２】
両副可動片１４はその後端に突出形成された３つの係止ピン１４ａによってそれぞれ両上ソレノイド１７のプランジャ１７ａに連繋され、両副可動片１４内にはランプ基板１８に結合された装飾ランプ１９が装入されている。
【００２３】
上ソレノイド１７のプランジャ１７ａが前方へ進動すると、副可動片１４が前方へ変位して第２球受け面１５が開いた姿勢の第１球受け面１１の先方の有効位置へ進出し、第１球受け面１１と第２球受け面１５とが外方へ先上り状に傾斜した傾斜面に沿って直列に配列される。
【００２４】
上ソレノイド１７のプランジャ１７ａが後方へ退動すると、副可動片１４が後方へ変位して第２球受け面１５が有効位置からその後方の失効位置へ退避する。
【００２５】
両主可動片１０がそれぞれ第１の状態となって両第１球受け面１１がそれぞれ開いた姿勢となった状態で、副可動片１４が前方へ変位して第２球受け面１５が有効位置へ進出すると、遊技球を可変入賞口３に受け入れる球受け幅は、両第１球受け面１１が遊技球を開いた姿勢で可変入賞口３に受け入れる基準球受け幅以上に拡大された状態となり、この状態で副可動片１４が後方へ変位して第２球受け面１５が失効位置へ退避すると、遊技球を可変入賞口３に受け入れる球受け幅は基準球受け幅を維持した状態となる。
【００２６】
開いた姿勢となった各第１球受け面１１が遊技球を受け取る有効受け取り範囲、すなわち、開いた姿勢となった第１球受け面１１の先端縁と閉じた姿勢となった第１球受け面１１の先端縁との間隔をａとし、前記基準球受け幅をＸとすると、それぞれ閉じた姿勢となった両第１球受け面１１が遊技球を可変入賞口３へ受け入れる球受け幅はＸ−２ａとなる。
【００２７】
両主可動片１０が第１の状態となり、両副可動片１４が共に前方へ変位して両第２球受け面１５が共に有効位置へ進出した状態では、開いた姿勢となった第１球受け面１１の先端縁と第２球受け面１５の先端縁との間隔をｂとすると、両第１球受け面１１および両第２球受け面１５が遊技球を可変入賞口３へ受け入れる受け入れ幅はＸ＋２ｂとなり、基準球受け幅Ｘより２ｂだけ拡大した最大球受け幅となる。
【００２８】
両第１球受け面１１が開いた姿勢となり、左側の副可動片１４の第２球受け面１５が有効位置へ進出して右側の副可動片１４の第２球受け面１５が失効位置へ退避した状態では、両第１球受け面１１および左側の第２球受け面１５が遊技球を可変入賞口３へ受け入れる球受け幅は右側の第１球受け面１１の先端縁と左側の第２球受け面１５の先端縁との間隔となってｂ＋Ｘとなり、基準球受け幅Ｘよりｂだけ左方へ拡大する。
【００２９】
両第１球受け面１１が開いた姿勢となり、右側の副可動片１４の第２球受け面１５が有効位置へ進出して左側の副可動片１４の第２球受け面１５が失効位置へ退避した状態では、両第１球受け面１１および右側の第２球受け面１５が遊技球を可変入賞口３へ受け入れる球受け幅は左側の第１球受け面１１の先端縁と、右側の第２球受け面１５の先端縁との間隔となってＸ＋ｂとなり、基準球受け幅Ｘよりｂだけ右方へ拡大する。
【００３０】
両第２球受け面１５が共に失効位置へ退避した状態では遊技球を可変入賞口３に受け入れる球受け幅は両主可動片１０の動きによって規定され、可変入賞口３は両第１球受け面１１によって遊技球を受け入れる基準球受け幅Ｘの範囲内で開閉されて球受け幅が比較的狭い特定入賞口や作動口として機能する。
【００３１】
可変入賞口３を特定入賞口とする場合には特定入賞領域６が開通され、可変入賞口３に入賞した入賞球は特定入賞領域６若しくは一般入賞領域７の何れか一方に振り分けられ、入賞球が特定入賞領域６を通過すると、特定状態が出現する条件が成立する。
【００３２】
両第２球受け面１５が共に有効位置へ進出した状態では遊技球を可変入賞口３へ受け入れる球受け幅は、両第１球受け面１１が遊技球を開いた姿勢で受け入れる基準球受け幅Ｘと、両第２球受け面１５が遊技球を受け入れる受け入れ幅とを加算した球受け幅Ｘ＋２ｂとなり、可変入賞口３は両第１球受け面１１と両第２球受け面１５とによって遊技球を受け入れる広い球受け幅で開放されて大入賞口として機能する。
【００３３】
例えば可変入賞口３を特別図柄作動口と大入賞口としての機能を兼有させる場合には、両主可動片１０が第２の状態となって両第１球受け面１１が閉じた姿勢となり、両副可動片１４が後方へ変位して両第２球受け面１５が失効位置へ退避した未作動時の状態では、シャッタ８が左方へ搖動して可変入賞口３に入賞した入賞球は全て特別図柄作動口としての特定入賞領域６に導入された状態となり、遊技球が可変入賞口３に入賞すると、図示しない特別図柄表示装置が作動し、特別図柄表示装置の停止図柄が大当り図柄となると、両主可動片１０が第１の状態に変換されて両第１球受け面１１が開いた姿勢となり、両副可動片１４が前方へ変位して両第２球受け面１５が有効位置へ進出し、可変入賞口３の球受け幅が最大球受け幅Ｘ＋２ｂとなって大当り状態となると同時に、シャッタ８が右方へ搖動し、可変入賞口３に入賞した入賞球を一般入賞領域７に導くようにする。この時、一般入賞領域７にカウントスイッチを設けて一定数入賞後前記大当り状態を終了させるようにする。また、前記未作動時の状態で特別図柄表示装置の停止図柄が当り図柄となったときに両主可動片１０が第２の状態から第１の状態に変換されて両第１球受け面１１が開いた姿勢となり、球受け幅が基準球受け幅Ｘとなるようにする。
【００３４】
上記した例では、特定入賞領域６を特別図柄作動口としたが、その他の例として特定入賞領域６を継続入賞口とし、一般入賞領域７を特別図柄作動口とし、通常シャッタ８が右方へ搖動しており、入賞球が特別図柄作動口としての一般入賞領域７に導入されるようにし、特別図柄表示装置の停止図柄が大当り図柄となると、前記大当り状態が出現すると同時に、シャッタ８が中立位置へ搖動して継続入賞口としての特定入賞領域６を開通させるようにしてもよい。
【００３５】
また、可変入賞口３を継続入賞口（特定入賞口）付の大入賞口として機能させる場合には、前記未作動時の状態で図柄表示装置の停止図柄が当り図柄となると、両第１球受け面１１が開いた姿勢となって、球受け幅が基準球受け幅Ｘとなる。この状態で入賞球が継続入賞口としての特定入賞領域６を通過すると、継続条件が成立するとともに、左側の第２球受け面１５が有効位置へ進出して球受け幅がｂ＋Ｘとなる。その後、入賞球が再度特定入賞領域６を通過すると、左側の第２球受け面１５が失効位置へ退避しかつ右側の第２球受け面１５が有効位置へ進出して球受け幅がＸ＋ｂとなる。さらに、入賞球が特定入賞領域６を通過すると、左側の第２球受け面１５が有効位置へ進出して両第２球受け面１５が共に有効位置へ進出した状態となり、球受け幅が最大球受け幅Ｘ＋２ｂとなるようにする（図６参照）。この一連の動作中に遊技球が可変入賞口３に１０個入賞するか、若しくは、３０秒経過するかの何れかの条件が成立した場合にはその回の大当りラウンド終了後再び大当りラウンドが繰返されるようにし、この繰返し回数は予め決められた回数とする。
【００３６】
なお、通常時にはシャッタ８は右側へ搖動して特定入賞領域６を閉鎖しており、特別図柄表示装置が当り図柄となると同時に中立位置へ搖動して入賞球を特定入賞領域６と一般入賞領域７とに振り分ける状態となる。
【００３７】
続いて、上記した構成を有する実施例の作用と効果を説明する。
本例では遊技面１ａを伝って転落する遊技球を受け取って一般入賞領域７および特定入賞領域６に連通された可変入賞口３へ案内する第１球受け面１１を有し、この第１球受け面１１が開いた姿勢となって遊技球を可動入賞口３へ受け入れる球受け幅が基準球受け幅Ｘとなる第１の状態と、第１球受け面１１が閉じた姿勢となって球受け幅が縮小する第２の状態とに変換される左右１対の主可動片１０と、球受け幅を基準球受け幅Ｘ以上に拡大する有効位置および基準球受け幅Ｘを維持する失効位置へ進出および退避する第２球受け面１５を有し、個別に駆動制御される左右１対の副可動片１４とを設置してある。
【００３８】
このため、可変入賞口３の開度を、球受け幅が規定幅以上に拡大した状態と規定幅を維持した状態と、球受け幅が規定幅以下に縮小した状態とに切換えて可変入賞口３を異った開度で開閉される異種の入賞口として機能させることができ、異った機能を有する異種の入賞口を一体化および共通化して入賞機構を簡略化することができるとともに、可変入賞口３への入賞の難易度の切換え態様を特異化することができる。
【００３９】
また、可変入賞口３への遊技球の受け入れ範囲をゲーム中に拡縮することができるので、ゲームの進行態様に関して新規な趣向を加えて遊技性を高めることができる。
【００４０】
さらに、可変入賞口３の球受け幅を大小異なる開度でゲーム中に多段階に切換えて可変入賞口３への遊技球の受け入れ態様を多様に変化させることができ、可変入賞口３への入賞過程に関して変化に富む状況を出現させることができる。
【００４１】
また、可変入賞口３を特定状態が出現する条件を成立させる特定入賞口としての機能や、球受け幅が規定幅以上に拡大する大入賞口としての機能を兼有する入賞口として活用することができる。
【００４２】
次に、図７に示す本発明の第２実施例について説明すると、本例では両主可動片１０の斜め上方にはベース板２Ａの上端部に結合された支軸２０を傾動支点として内外方向へ傾動して起立姿勢と傾倒姿勢とに切換えられる左右１対の副可動片１４Ａが個別の駆動制御可能に設置され、両主可動片１０は第１実施例と同様に構成されている。
【００４３】
両副可動片１４Ａの内側面には傾倒状態の第１球受け面１１の先方の有効位置へ進出して遊技球を開いた姿勢の第１球受け面１１の先方で受け取り、有効位置からその外方の失効位置へ退避して第１球受け面１１の先方を開放する第２球受け面１５Ａがそれぞれ形成されている。
【００４４】
両副可動片１４Ａは第２球受け面１５Ａが失効位置へ退避した状態では遊技球の転落方向を変向する障害物として機能する。
【００４５】
なお、第２実施例のその他の作用と効果については第１実施例と同様であるため、その説明を省略する。
【図面の簡単な説明】
【図１】本発明の第１実施例を示す入賞装置の正面図である。
【図２】図１のＹ１−Ｙ１線断面図である。
【図３】図１のＹ２−Ｙ２線断面図である。
【図４】図１のＹ３−Ｙ３線断面図である。
【図５】副可動片の斜視図である。
【図６】球受け幅の切換え態様の例を示すタイムチャートである。
【図７】本発明の第２実施例を示す入賞装置の正面図である。
【符号の説明】
１  遊技盤
３  可変入賞口
６  特定入賞領域
７  一般入賞領域
１０  主可動片
１１  第１球受け面
１４，１４Ａ  副可動片
１５，１５Ａ  第２球受け面
Ｎ  入賞装置
【図１】
0003951312.tif 000002
【図２】
0003951312.tif 000003
【図３】
0003951312.tif 000004
【図４】
0003951312.tif 000005
【図５】
0003951312.tif 000006
【図６】
0003951312.tif 000007
【図７】
0003951312.tif 000008